(57)【要約】【課題】  産業廃棄物などの再利用で一定の強度を備え、且つ生分解性機能を備えた平板材の安価な提供。【解決手段】  生分解性ポリマーの原料ペレットと、微粉炭化物とを、前者１０に対し後者を３〜７の容積割合比率で混合し、加熱溶融すると共に押出成形機や射出成形機などにより板状に押出成形して製造する。生分解性ポリマーは微生物産生系、天然高分子系、合成高分子系、天然合成高分子複合系などである。【選択図】      図１
2005290095.tif 000002
【特許請求の範囲】
【請求項１】
生分解性ポリマーの原料ペレットと、微粉炭化物とを、前者１０に対し後者を３〜７の容積割合比率で混合し、加熱溶融すると共に押出成形機や射出成形機などにより板状に押出成形して製造するものとなしたことを特徴とする生分解性プラスチック炭化ボード。
【請求項２】
生分解性ポリマーは微生物産生系、天然高分子系、合成高分子系、天然合成高分子複合系などであり、且つその炭化物との加熱溶融温度は凡そ２００℃〜３００℃になしたことを特徴とする請求項１記載の生分解性プラスチック炭化ボード。
【請求項３】
炭化物は下水や河川などのヘドロを主成分となしたものを、黒鉛るつぼで水素気流中で加熱したものとなしたことを特徴とする請求項１又は２記載の生分解性プラスチック炭化ボード。
【請求項４】
肉厚寸法を３ｍｍ〜２０ｍｍ、ショアー硬さを３０〜５０ＨＳとなしたことを特徴とする請求項１，２又は３記載の生分解性プラスチック炭化ボードを使用した看板。
【発明の詳細な説明】
【技術分野】
【０００１】
本発明は生分解性プラスチックに係る炭化ボード及び該炭化ボードを使用した看板に関する。
【背景技術】
【０００２】
今日の大量生産、大量消費、大量廃棄の社会システムは、自然の浄化能力を超え、地球温暖化、廃棄物、有害物質などの様々な環境問題を深刻化させている。
これがために土壌中で微生物によって完全に分解され、且つ消化される生分解性プラスチックに注目が集められている。
【特許文献１】特開平４−１４６９５２
【特許文献１】特開平４−３２５５２８
【発明の開示】
【発明が解決しようとする課題】
【０００３】
従来、土中において微生物分解性を示すプラスチックは種々知られている。これらのプラスチックのうち脂肪族ポリエステルは微生物分解性において比較的優れたものであるが、一般的に高価である上、それらのうち比較的安価のものは柔軟で機械的な強度に劣るという問題がある。
本発明は上記問題点を解決せんとするものである。
【課題を解決するための手段】
【０００４】
本発明は生分解性ポリマーの原料ペレットと、微粉炭化物とを、前者１０に対し後者を３〜７の容積割合比率で混合し、加熱溶融すると共に押出成形機や射出成形機などにより板状に押出成形して製造するものとなす。
【０００５】
このさい、生分解性ポリマーは微生物産生系、天然高分子系、合成高分子系、天然合成高分子複合系などであり、且つその炭化物との加熱溶融温度は凡そ２００℃〜３００℃となされるのであり、炭化物は家庭用生ゴミ、産業用廃棄物、同ヘドロや家畜糞などを黒鉛るつぼで水素気流中で加熱して得られるものを微粉末化したものとなされる。
【０００６】
而して、本発明では上記ボードを一定の肉厚のもの、即ち３ｍｍ〜２０ｍｍ程度の板材となすのであり、またそのショアー硬さは凡そ３０〜５０ＨＳとなされる。
【発明の効果】
【０００７】
上記した本発明によれば、産業廃棄物などの再利用で一定の強度を備え、且つ生分解性機能を備えた板材を安価に製造することができるものとなるのであり、とりわけ一時的な短期間に使用して廃棄されたりする屋外広告や看板などの使用で、使用済み後の処置作業に優れたものとなる。即ち、使用済み後の廃棄や、回収が容易となる点で、具体的には本発明品では廃棄したさいは経年的に自ずと自然界に還元されるものとなるのであり、且つ還元後は一部の金属類が土中に残るものとなるが生態系に害を与えるものとはならない。
他方、回収するさいは粉砕機の使用で、そのまま微粉砕化して再生原料たる炭化物として使用可能となるのであり、新規板材の製造に直接使用させることができることから、コストの低減化に寄与するものとなる。
【０００８】
なお、炭化物素材として、産業用廃棄物やヘドロなどを回収して使用することは、環境浄化に寄与すること大ならしめるものとなる。
【発明を実施するための最良の形態】
【０００９】
本発明に於いて対象原料とする生分解性ポリマーは微生物産生系として脂肪族ポリエステルの一種を、天然高分子系としては酸酸セルロースやニトロセルロースを、合成高分子系としてはポリエステルナイロン共重合体を、天然合成高分子複合系としてはアミロースポリエステル共重合体などである。而して、生分解樹脂の原料についてはたんぱく質、脂肪、澱粉、乳酸を用いた研究開発品が市販提供されるものとなっており、本発明ではこれらを原料ペレットＡとして使用する。
【００１０】
次に本発明に於いて対象原料とする炭化物は、バイオマス廃棄物処理炭化によるものであって、このさいバイオマスとは再生可能な生物由来の有機資源であって、廃棄物系として廃棄される紙、家畜排泄物、食品廃棄物、建設発生木材、製材工場残材、パルプ工場廃液、下水汚泥、ヘドロなど、他に未利用バイオマスとしては稲わら、麦わら、もみ殻、間伐材、倒木などであり、また資源作物としては飼料作物、澱粉系作物などであり、これら原料を炭化炉内で還元状態で高温加熱するのである。ここに炭化処理は焼却処理と異なり熱分解のとき、有機分は消滅し炭素分と灰分が残り、且つこの揮発のさいに炭素分が多孔体となり、吸着性をも備えるものとなる。
【００１１】
上記炭化処理に於いて炭化炉からの排ガス中のダイオキシン（ＤＸＮ）類濃度及び煤塵濃度が低いので排ガス処理などの付帯設備は簡略化できるのであり、且つ炭化物中にダイオキシン類は含まれず、六価クロム類は還元されて三価クロムとなるため、重金属類は溶出固化され、一方ダイオキシン類を含む場合は炭化と同時にダイオキシン類の分解除去も図られる。
而して、本発明ではこれら炭化生成物を粉砕機により微砕化して微粉炭化物Ｂとして使用するのである。
【００１２】
図１は本発明に係る生分解性プラスチック炭化ボード製造工程の一部破断略図であって、本発明では上記生分解性ポリマーの原料ペレットＡと微粉炭化物Ｂとを容積比で前者の１０に対し後者を凡そ３〜７の割合比率でホッパー１内に投入し、攪拌機２で攪拌混合しながら押出機３で凡そ２００℃〜３００℃の加熱溶融下にＴダイ４を介して一定肉厚の板状帯５に押し出さしめるのであり、図面で６ａ，６ｂは該板状体５の引張り兼用の挟圧ローラである。
【００１３】
７は上記板状帯５を冷却するための冷却槽であって、このさい８ａ，８ｂ，８ｃは夫々れガイドローラ、９ａ，９ｂは引張りローラであり、且つ送り込みローラ１０ａ，１０ｂで切断装置１１へ送り込ませて必要な一定の長さ寸法に切断させるのである。
【００１４】
図２は上記により製造された本発明製品の斜視図であり、本発明品は肉厚寸法ｔが凡そ３ｍｍ〜２０ｍｍの平板体１２となされる。図示例ではＴダイ４から押し出され、且つ挟圧ローラ６ａ，６ｂで上記肉厚寸法ｔのものに直接且つ同時に製造させられるのであるが、このさい比較的肉厚寸法品の製造にさいしては押し出された板状帯の切断後に適宜その複数を積層圧着させて構成することも差し支えなく本発明の実施範囲内とする。
【００１５】
又、上記図示例ではＴダイ４から押し出された板状帯５を冷却槽７内に導いて冷却させるものについて説明したが、スチールコンベア上で搬送させる過程で加冷或いは自然放熱されるものとなしても良い。なお、上記実施例では連続押し出し方式のものであるが、間歇的に成形機内に定量押し出さしめることにより、該成形機内で加圧冷却を行うことにより一定肉厚と大きさの板状体製品１２となすことも差し支えなく、これらを含め本発明実施の範囲内とする。
【００１６】
上記本発明品１２は製造にさいし、該製品が肉厚寸法を凡そ３ｍｍ〜２０ｍｍの平板体としての必要な一定強度を備えさせるものとなされるのであり、即ち本発明では幾多の実験結果から、生分解性ポリマーの原料ペレットと微粉炭化物との混合比率を１０：３〜７の割合とするのであり、後者の微粉炭化物の混合割合を大ならしめるほど耐衝撃性に優れるものとなるが、必要な屈撓性が損なわれないようにすること、及びこれと廃棄処分のさいに於ける生分解性機能との相関関係に係る限界点を模索探究して、上記混合比率を定めた。
【００１７】
本発明になる生分解性プラスチック炭化ボードは比較的短期間の使用後に廃棄処理を余儀なくされる板材、例えばとりわけ一時的なイベントや展示開場などの広告看板や案内板、或いは選挙ポスターなどの板材として簡便且つ安価に使用できるのである。而して、使用後に焼却や埋設などの廃棄処理されるさいには、生分解性プラスチックのため土中に還元して環境汚染を最小限に食い止めるものとなるのである。反面、本発明ではそのまま再び粉砕機により再粉砕し、微粉炭化物としての再生使用を可能となすのであり、このリサイクル使用ではコストの一層の低減化に寄与するものとなる。
本発明で上記使用に於ける板材としてのショアー硬さは凡そ３０〜５０ＨＳとなされるのである。また、本発明に於ける板材の生地色は専ら該板材を構成する微粉炭化物自身の黒色を提しているが、適宜必要な着色剤や顔料などを製造過程で混入させることにより、適宜他の色となすことができる。なお、発泡空隙などは空気浄化に寄与するものとなるのであって、その放置状態下で常に自然な環境改善作用に寄与する一挙両得な製品を提供するものとなるのである。
【図面の簡単な説明】
【００１８】
【図１】本発明に係る生分解性プラスチック炭化ボード製造工程の一部破断略図である。
【図２】上記に於ける本発明品である。
【符号の説明】
【００１９】
Ａ      生分解性プラスチックの原料ペレット
Ｂ      微粉炭化物
１      ホッパー
２      攪拌機
３      溶融押出機
４      Ｔダイ
５      板状帯
６ａ，６ｂ    引張りローラ
７      冷却槽
８ａ，８ｂ，８ｃ    ガイドローラ
９ａ，９ｂ    引張りローラ
１０ａ，１０ｂ    送り込みローラ
１１    切断装置
１２    製品斜視図
【図１】
2005290095.tif 000003
【図２】
2005290095.tif 000004